(57)【要約】【課題】  踏み板の踏み面の有効長さを長くでき、しかも踏み板の長手方向の両端部の階段桁から側方に突出する長さを一定にできるようにする。【解決手段】  一対の階段桁１の上縁側に水平辺３ａと垂直辺３ｂとからなる断面Ｌ字状の切り欠き３を上下に連続するように設ける。左右の階段桁１間に架設した踏み板２を水平辺３ａ上に載置すると共に踏み板２の長手方向の両端部を階段桁１より側方に突出させる。踏み板２の長手方向の両端部の下面に固定プレート４を沿わせて固定プレート４を踏み板２の下面に装着する。固定プレート４の踏み板２の下面と切り欠き３の水平辺３ａとの間に位置する部分で固定プレート４から階段桁１の厚さに相当する間隔を隔てて対向するように垂下した脚片５を階段桁１の両面にそれぞれ沿わせて階段桁１に固定する。固定プレート４から立ち上げた端部係止片６を踏み板２の長手方向の端面に係止させる。【選択図】        図１
2006177053.tif 000002
【特許請求の範囲】
【請求項１】
左右に所定の間隔を隔てると共に所定の角度で傾斜させて配設した一対の階段桁の上縁側に水平辺と垂直辺とからなる断面Ｌ字状の切り欠きを上下に連続するように設け、左右の階段桁間に架設した踏み板を切り欠きの水平辺上に載置すると共に踏み板の長手方向の両端部を階段桁より側方に突出させ、踏み板の長手方向の両端部の下面に固定プレートを沿わせて固定プレートを踏み板の下面に装着し、固定プレートの踏み板の下面と切り欠きの水平辺との間に位置する部分で固定プレートから階段桁の厚さに相当する間隔を隔てて対向するように垂下した脚片を階段桁の両面にそれぞれ沿わせて階段桁に固定し、固定プレートから立ち上げた端部係止片を踏み板の長手方向の端面に係止させたことを特徴とするオープン階段。
【請求項２】
階段桁の切り欠きの水平辺と垂直辺との間の入隅に円弧状の凹部を設け、固定プレートから上記凹部を隠す目隠し片を突設したことを特徴とする請求項１記載のオープン階段。
【発明の詳細な説明】
【技術分野】
【０００１】
本発明は、階段桁より踏み板の長手方向の端部が側方に突出するように取り付けられたオープン階段に関するものである。
【背景技術】
【０００２】
従来、階段桁に踏み板を取り付けてオープン階段を組み立てる場合、図７に示すように階段桁１の上下方向に所定の間隔を隔てて踏み板取り付け部品ａを取り付け、踏み板２の長手方向の両端の手前に切り込みｂを設け、上記踏み板取り付け部品ａに踏み板２の切り込みｂを嵌め込んで取り付け部品ａにて階段桁１に踏み板２を取り付けていた（例えば、特許文献１参照）。
【特許文献１】実開昭５６−８４６２９号公報
【発明の開示】
【発明が解決しようとする課題】
【０００３】
上記従来例にあっては、踏み板２の長手方向の両端が階段桁１から側方に突出しているが、踏み板２の長手方向の両端の手前部分に切り込みｂを設けて切り込みｂを階段桁１に嵌め込んでいるために踏み板２の両端が階段桁１より側方に突出していても階段桁１が邪魔になって踏み面にすることができず、踏み板２の踏み面の有効な長さが短くなるという問題がある。
【０００４】
本発明は上記の従来の問題点に鑑みて発明したものであって、踏み板の長手方向の両端部が階段桁から側方に突出する部分も階段桁に邪魔されずに踏み面にでき、踏み板の踏み面の有効長さを長くでき、しかも踏み板の長手方向の両端部の階段桁から側方に突出する長さを一定にできて外観を向上できるオープン階段を提供することを課題とする。
【課題を解決するための手段】
【０００５】
上記課題を解決するために本発明のオープン階段は、左右に所定の間隔を隔てると共に所定の角度で傾斜させて配設した一対の階段桁１の上縁側に水平辺３ａと垂直辺３ｂとからなる断面Ｌ字状の切り欠き３を上下に連続するように設け、左右の階段桁１間に架設した踏み板２を切り欠き３の水平辺３ａ上に載置すると共に踏み板２の長手方向の両端部を階段桁１より側方に突出させ、踏み板２の長手方向の両端部の下面に固定プレート４を沿わせて固定プレート４を踏み板２の下面に装着し、固定プレート４の踏み板２の下面と切り欠き３の水平辺３ａとの間に位置する部分で固定プレート４から階段桁１の厚さに相当する間隔を隔てて対向するように垂下した脚片５を階段桁１の両面にそれぞれ沿わせて階段桁１に固定し、固定プレート４から立ち上げた端部係止片６を踏み板２の長手方向の端面に係止させたことを特徴とする。
【０００６】
上記構成によれば、左右の階段桁１間に架設した踏み板２を切り欠き３の水平辺３ａ上に載置すると共に踏み板２の長手方向の両端部を階段桁１より側方に突出させ、この状態で固定プレート４で階段桁１に踏み板２を取り付けたことにより、階段桁１より踏み板２の長手方向の両端部を側方に突出させるもので、踏み板２の長手方向の両端部も階段桁１に邪魔されずに踏み面とでき、踏み板２の踏み面の有効長さを長くできる。また固定プレート４の踏み板２の下面と切り欠き３の水平辺３ａとの間に位置する部分で固定プレート４から階段桁１の厚さに相当する間隔を隔てて対向するように垂下した脚片５を階段桁１の両面にそれぞれ沿わせて階段桁１に固定し、固定プレート４から立ち上げた端部係止片６を踏み板２の長手方向の端面に係止させたことにより、階段桁１に対して踏み板２の長手方向の両端面を位置決めできるものであって、階段桁１に対して踏み板２の長手方向の両端部が突出する長さを揃えることができて外観よくできる。また固定プレート４を踏み板２に取り付け、固定プレート４の脚片５を階段桁１の両面に沿わせて固定し、端部係止片６を踏み板２の長手方向の両端面に係止させたことにより、固定プレート４にて階段桁１に踏み板２を強固に固定できる。
【０００７】
また階段桁１の切り欠き３の水平辺３ａと垂直辺３ｂとの間の入隅に円弧状の凹部７を設け、固定プレート４から上記凹部７を隠す目隠し片８を突設したことを特徴とすることも好ましい。水平辺３ａと垂直辺３ｂとの間の入隅に円弧状の凹部７を設けたことにより、切削で切り欠き３を形成するものでも踏み板２の下面を切り欠き３の水平辺３ａに沿わせると共に踏み板２の背面を垂直辺３ｂに沿わせるように踏み板２を設置することができ、踏み板２と階段桁１の切り欠き３の水平辺３ａや垂直辺３ｂとの間に隙間ができたりしないように踏み板２を所定位置に取り付けることができて外観よく取り付けることができる。また固定プレート４から上記凹部７を隠す目隠し片８を突設したことにより、上記のように踏み板２を取り付けるために凹部７を設けても目隠し片８にて凹部７を隠すことができて外観よくできる。
【発明の効果】
【０００８】
本発明は叙述のように構成されているので、階段桁より踏み板の長手方向の両端部を側方に突出させるもので、踏み板の長手方向の両端部も階段桁に邪魔されずに踏み面とでき、踏み板の踏み面の有効長さを長くできるという効果があり、また階段桁に対して踏み板の長手方向の両端部が突出する長さを揃えることができて外観よくできるという効果があり、さらに固定プレートにて階段桁に踏み板を強固に固定できるという効果がある。
【発明を実施するための最良の形態】
【０００９】
以下、本発明を添付図面に示す実施形態に基いて説明する。
【００１０】
階段桁１や踏み板２は木質材にて形成されており、例えば一例としてタモ集成材にて形成されている。一対の階段桁１は左右に間隔を隔てて平行に配置されると共に所定の傾斜を持たせて配置される。階段桁１の上縁側には図３に示すように水平辺３ａと垂直辺３ｂとでＬ字状のなる切り欠き３を上下方向に連続するように設けてある。この階段桁１に切り欠き３を加工するとき後述する固定プレート４の前後方向の幅に対応する長さで且つ固定プレート４の厚さに相当する分だけ切除した凹段部９が形成される。また切り欠き３の水平辺３ａと垂直辺３ｂとの間の入隅部には円弧状の凹曲した凹部７を形成してある。
【００１１】
踏み板２は一対の階段桁１の間の間隔より長い長さに形成されており、一対の階段桁１間に踏み板２を架設したとき、踏み板２の長手方向の両端部が階段桁１より側方に突出するようになっている。踏み板２を一対の階段桁１間に架設したとき踏み板２の下面が切り欠き３の水平辺３ａの上に載置され、踏み板２の背面は切り欠き３の垂直辺３ｂに沿わせられる。踏み板２を設置したとき切り欠き３の水平辺３ａと垂直辺３ｂとの間の入隅部に凹部７が設けてあるため図４に示すように踏み板２の下面が水平辺３ａに隙間なく沿わせられると共に踏み板２の背面が垂直辺３ｂに隙間なく沿わせられる。
【００１２】
固定プレート４は図５、図６に示すように金属板により平板状に形成してあり、この固定プレート４には複数個の取り付け穴１０が固定プレート４の隅部近傍に位置するように穿孔してある。この固定プレート４には階段桁１の厚み分の間隔を隔てるように脚片５を下方に向けて垂下してあり、各脚片５にそれぞれ取り付け穴１１を穿孔してある。本例の場合、二対の脚片５を平行に垂下してある。また固定プレート４の端部には端部係止片６を上方に向けて垂設してある。また一対の脚片５の上部から上方に向けて目隠し片８を突設してある。
【００１３】
階段桁１に踏み板２を取り付けてオープン階段を組み立てるとき次のように組み立てられる。図１や図２に示すように踏み板２の長手方向の両端部の下面には固定プレート４が沿わせられ、端部係止片６が踏み板２の長手方向の端面に当接され、階段桁１の切り欠き３の水平片３ａの上に踏み板２を載置した状態で固定プレート４が踏み板２と水平辺３ａとの間に位置させられると共に固定プレート４が凹段部９に納まり、この状態で脚片５が階段桁１の両側面に沿わせられ、また固定プレート４の取り付け穴１０から踏み板２にビス等の固着具を打入して固定プレート４が踏み板２に固定されると共に脚片５の取り付け穴１１から階段桁１にビス等の固着具を打入して脚片５が階段桁１に固定される。
【００１４】
上記のように階段桁１に踏み板２が取り付けられるが、踏み板２を階段桁１の切り欠き３の水平辺３ａに載置して固定プレート４で階段桁１に踏み板２を取り付けることにより、踏み板２の長手方向の両端部が階段桁１より側方に突出しても踏み板２の上面の踏み面が階段桁１で邪魔されず、踏み板２の長手方向の両端部の上面も踏み面となって踏み面の有効長さが長くなる。また固定プレート４が切り欠き３の水平辺３ａの凹段部９に納まることにより踏み板２の下面と水平辺３ａとの間に隙間ができないように踏み板２を取り付けることができる。また切り欠き３の水平辺３ａと垂直辺３ｂとの間の凹部７を設けてあることにより、踏み板２の下面と水平辺３ａとの間に隙間ができないと共に踏み板２の背面と垂直辺３ｂとの間に隙間ができないように踏み板２を取り付けることができる。
【００１５】
また固定プレート４の脚片５を階段桁１に沿わせて階段桁１に固定すると共に端部係止片６を踏み板２の長手方向の端面に係止することにより踏み板２の長手方向の両端部の階段桁１からの側方への突出長さを一定にできる。また固定プレート４を踏み板２の下面に沿わせて固定すると共に脚片５を階段桁１に沿わせて固定し、端部係止片６を踏み板２の端面に係止することにより階段桁１に踏み板２を強固に固定することができる。また切り欠き３の水平辺３ａと垂直辺３ｂとの入隅に設けた凹部７を目隠し片８にて覆ったことにより、凹部７が見えないように目隠し片８で覆うことができて外観よくできる。
【図面の簡単な説明】
【００１６】
【図１】（ａ）は本発明の階段の要部を拡大せる側面図、（ｂ）は固定プレートで踏み板を取り付けた状態の側面図である。
【図２】同上の固定プレートで階段桁を取り付けた状態の一部切欠正面図である。
【図３】同上の階段桁の側面図である。
【図４】同上の踏み板を取り付けるときの切り欠きの入隅部分を拡大せる側面図である。
【図５】同上の固定プレートを示す斜視図である。
【図６】同上の固定プレートを示し、（ａ）（ｂ）（ｃ）は正面図、平面図及び側面図を示す。
【図７】従来例を示す斜視図である。
【符号の説明】
【００１７】
１  階段桁  
２  踏み板
３  切り欠き
３ａ  水平辺
３ｂ  垂直辺  
４  固定プレート
５  脚片
６  端部係止片
７  凹部
８  目隠し片
【図１】
2006177053.tif 000003
【図２】
2006177053.tif 000004
【図３】
2006177053.tif 000005
【図４】
2006177053.tif 000006
【図５】
2006177053.tif 000007
【図６】
2006177053.tif 000008
【図７】
2006177053.tif 000009